(57)【要約】【課題】圧縮機室部前板の取り付け・取り外しが容易な空気調和機の室外ユニットを提供する。【解決手段】圧縮機６ａを収納した圧縮機室６を有する外箱１ａは、天面に配された天板３と、吹き出し口４を設けた吹き出し口部前板５と、圧縮機室６の前部を覆う圧縮機室部前板８と、側面部を覆う右側板９とから構成され、圧縮機室部前板８の両側端部に略Ｌ字状の係止爪１０を複数設け、吹き出し口部前板５及び右側板９の端部に係止爪１０に係合する係合穴１１をそれぞれ複数設け、少なくとも一つの係止爪１０ａの下端部に凸部１２を設けたもので、係止爪１０ａを係合穴１１に挿入した際に凸部１２が係合穴１１の下辺１１ａに係止することで、容易に係止爪１０ａが係合穴１１から外れることはなく圧縮機室部前板８が仮固定され、外れ落ちることがなく一人で容易に取り付け・取り外し作業ができる。【選択図】図２
2007205624.tif 000002
【特許請求の範囲】
【請求項１】
圧縮機を収納した圧縮機室と送風機とを有する外箱を備え、前記外箱は、天面に配された天板と、前記送風機の風を吹き出す吹き出し口を設けた吹き出し口部前板と、前記圧縮機室の前部を覆う圧縮機室部前板と、側面部を覆う側板とから構成され、前記圧縮機室部前板の両側端部に略Ｌ字状の係止爪を複数設け、前記吹き出し口部前板および前記側板の端部に前記係止爪に係合する係合穴をそれぞれ複数設けるとともに、前記圧縮機室部前板の両側端部の少なくとも１ヵ所づつの係止爪の下端部に、前記係止爪を前記係合穴に挿入した際に前記圧縮機室部前板を最下位置にスライドさせた時に前記係止爪が前記係号穴の下辺に係合するように下方に向かって伸びる凸部を形成したことを特徴とする空気調和機の室外ユニット。
【請求項２】
係止爪の下方に伸びる凸部の内側の辺を下方に向かって凸部の先端が狭まるように傾斜させたことを特徴とする請求項１記載の空気調和機の室外ユニット。
【請求項３】
係合穴の下辺を係止爪に形成した凸部の傾斜に合わせて同じ角度で傾斜させたことを特徴とする請求項２記載の空気調和機の室外ユニット。
【発明の詳細な説明】
【技術分野】
【０００１】
本発明は空気調和機の室外ユニットに関するもので、特に室外ユニットの外郭を形成する外箱構成に関するものである。
【背景技術】
【０００２】
大能力タイプのルームエアコンの室外ユニットやパッケージエアコンの室外ユニットでは、室外ユニットの横連続設置に対応できるように、送風機の吹き出し口面側から作業ができるように、圧縮機室と圧縮機室の上部に設けられ制御基板を収納する電装部品室とを覆う圧縮機室部前板が設けられている。配管接続部も圧縮機室に収納されているので、設置時の配管接続作業、冷媒追加充填作業また設置状態に応じて室外ユニット制御基板に設けられた種々の設定スイッチの操作を行うには、圧縮機室部前板を外して作業を行うようになっており、そのため圧縮機室部前板は、数本のネジを緩めることで簡単に取り外せる構成となっている（例えば、特許文献１参照）。また、係合が容易な構成として、引掛け爪と引掛け穴の構成がある（例えば、特許文献２参照）。
【０００３】
以下に、従来の空気調和機の室外ユニットの外箱の構成を図７〜９を用いて説明する。図７において、室外ユニット９０の外箱９０ａは、ユニットベース１００、天面部を覆う天板１０１、前面部を覆い送風機（図示せず）の吹き出し口１０２ａを設けた吹き出し口部前板１０２、圧縮機１０６を収納する圧縮機室１０６ａと制御基板（図示せず）を収納する電装部品室１０４とを覆う断面略Ｌ字状の圧縮機室部前板１０３、右側面を覆う側板１０５ａ、１０５ｂから構成されている。圧縮機室部前板１０３は、前面側１０３ａと右側面側１０３ｂとで形成され、さらに圧縮機室部前板１０３の上端及び下端はそれぞれネジ１０３ｄで天板１０１とユニットベース１００に締結されている。
【０００４】
図８は、図７における圧縮機室部前板１０３の右側面側１０３ｂのＤ部と側板１０５ｂのＥ部を拡大した詳細図であり、（ａ）は要部水平断面図、（ｂ）は要部正面図である。図８に示すように、圧縮機室部前板１０３の右側面側１０３ｂ及び左側端部１０３ｃの各鉛直部には略Ｌ字状の係止爪１１０が、またこの係止爪１１０に対応して、吹き出し口部前板１０２および側板１０５ｂの鉛直端部に角形状の係合穴１１１がそれぞれ複数個設けられている。圧縮機室部前板１０３が室外ユニット９０の手前方向に外せるようするために係止爪１１０は両端側ともに室外ユニット９０の奥行き方向に突出して形成されており、対応する係合穴１１１は係止爪１１０に直交するように開口している。
【０００５】
以上の構成により、圧縮機室部前板１０３は、圧縮機室部前板１０３の右側面側１０３ｂ、左側端部１０３ｃに設けられた複数個の係止爪１１０が係合穴１１１に水平方向に挿入された後、上方にスライドされ、さらに上端、下端をそれぞれ１本のネジ１０３ｄで締結することによって吹き出し口部前板１０２、側板１０５ａ、１０５ｂに固着できるため、多くのネジを使用する必要がなく、組立時の作業工数を低減できると共にネジ本数が少ないので見栄えもよい。
【０００６】
図９は、他の従来の空気調和機の室外ユニットを示すもので、図８に示された室外ユニットとほぼ同様な外箱構成となっているが、図９に示されるように、圧縮機室部前板の部分と右側の側板部分とが一体に形成され、しかも右側の側板は１枚で形成され合わせ目が省略されている（例えば、特許文献３参照）。
【特許文献１】特開平６−１２３４４６号公報
【特許文献２】実開平５−０６９５３５号公報
【特許文献３】特開平９−１９３９８９号公報
【発明の開示】
【発明が解決しようとする課題】
【０００７】
しかしながら上記従来の空気調和機の室外ユニットの外箱構成では、設置時に圧縮機室部前板１０３を開けての作業、例えば室外ユニット９０と室内ユニット（図示せず）をつなぐ際の冷媒配管接続、冷媒の追加充填や電線接続などの圧縮機室部前板１０３を取り外したり、再度室外ユニット９０に取り付ける際に以下のような課題があった。
【０００８】
圧縮機室部前板１０３を室外ユニット９０に取り付ける際は、側板１０５ａ、１０５ｂ及び吹き出し口部前板１０２に設けた複数の係合穴１１１に圧縮機室部前板１０３の右側面側１０３ｂ及び左側端部１０３ｃに設けた複数の係止爪１１０を挿入した後、圧縮機室部前板１０３を上方にスライドさせ上端、下端をネジ１０３ｄで締結するが、圧縮機室部前板１０３は金属製でしかも大きな表面積を持ち、そのため重量も重くなることから自重により下方へ下がろうとする力が働くため、係止爪１１０が係合穴１１１より外れ圧縮機室部前板１０３が室外ユニット本体から落下してしまう。
【０００９】
また、圧縮機室部前板１０３を取り外す際は、締結されたネジ１０３ｄを緩め取り外すがネジ１０３ｄを取り外した瞬間に圧縮機室部前板１０３は自重により下方に下がり、係止爪１１０が係合穴１１１より外れ圧縮機室部前板１０３が落下してしまう。そのため、作業者は圧縮機室部前板１０３が外れ落ちないように圧縮機室部前板１０３を押さえていなければならず、取り付け、取り外し作業が非常に困難であった。このため、製造現場や大規模設置工事など多人数で作業をしている場合には、一人が圧縮機室部前板１０３を押さえ、もう一人がネジを締結しなければならなかった。
【００１０】
また、一人で設置作業する場合、あるいは、一人で作業を行うことが多いサービス時などでは、圧縮機室部前板１０３の取り外し、および取り付けが極めて困難で、また多くの時間を費やし、さらに注意不足の場合には、係止爪１１０と係合穴１１１が外れてしまい、圧縮機室部前板１０３が室外ユニット９０より落下しキズ付きや変形の原因となっていた。また、配管・電気工事の際には、取り外した圧縮機室部前板１０３を工事完了まで周囲の空きスペース等に置いておく必要があり、余分なスペースが必要であるとともに圧縮機室部前板１０３の傷付きや変形の要因になっていた。
【００１１】
本発明は、上記従来の課題を解決するもので、安価な構成で、見栄えを悪くすることもなく、一人で確実に、しかも簡単に圧縮機室部前板の取り付け・取り外しができる空気調和機の室外ユニットを提供することを目的とするものである。
【課題を解決するための手段】
【００１２】
上記従来の課題を解決するために、本発明の空気調和機の室外ユニットは、圧縮機を収納した圧縮機室と送風機とを有する外箱を備え、前記外箱は、天面に配された天板と、前記送風機の風を吹き出す吹き出し口を設けた吹き出し口部前板と、前記圧縮機室の前部を覆う圧縮機室部前板と、側面部を覆う側板とから構成され、前記圧縮機室部前板の両側端部に略Ｌ字状の係止爪を複数設け、前記吹き出し口部前板および前記側板の端部に前記係止爪に係合する係合穴をそれぞれ複数設けるとともに、前記圧縮機室部前板の両側端部の少なくとも１ヵ所づつの係止爪の下端部に、前記係止爪を前記係合穴に挿入した際に前記圧縮機室部前板を最下位置にスライドさせた時に前記係止爪が前記係号穴の下辺に係合するように下方に向かって伸びる凸部を形成したもので、前記圧縮機室部前板の取り付け・取り外しの際は、係合爪下端部に設けた凸部が係合穴の下辺と係合して圧縮機室部前板が保持されるため、係止爪が係合穴より外れることがなく一人で確実に、しかも容易に圧縮機室部前板の取り付け・取り外しができるとともに、配管・電気工事の際は、前記圧縮機室部前板の右、または左側端部のいずれか一方の係止爪の凸部を相対する係合穴の下辺に
係合させることで圧縮機室部前板を係止して作業が行えることから、余分なスペースを必要とせず、前記圧縮機室部前板の傷付きや変形もなくなるものである。
【発明の効果】
【００１３】
本発明の空気調和機の室外ユニットは、安価な構成で、見栄えを悪くすることもなく、一人で確実に、しかも簡単に圧縮機室部前板の取り付け・取り外しができるので、作業効率が非常に良いものである。
【発明を実施するための最良の形態】
【００１４】
第１の発明は、圧縮機を収納した圧縮機室と送風機とを有する外箱を備え、前記外箱は、天面に配された天板と、前記送風機の風を吹き出す吹き出し口を設けた吹き出し口部前板と、前記圧縮機室の前部を覆う圧縮機室部前板と、側面部を覆う側板とから構成され、前記圧縮機室部前板の両側端部に略Ｌ字状の係止爪を複数設け、前記吹き出し口部前板および前記側板の端部に前記係止爪に係合する係合穴をそれぞれ複数設けるとともに、前記圧縮機室部前板の両側端部の少なくとも１ヵ所づつの係止爪の下端部に、前記係止爪を前記係合穴に挿入した際に前記圧縮機室部前板を最下位置にスライドさせた時に前記係止爪が前記係号穴の下辺に係合するように下方に向かって伸びる凸部を形成したもので、前記圧縮機室部前板の取り付け・取り外しの際は、係合爪下端部に設けた凸部が係合穴の下辺と係合して圧縮機室部前板が保持されるため、係止爪が係合穴より外れることがなく一人で確実に、しかも容易に前記圧縮機室部前板の取り付け・取り外しができるとともに、配管・電気工事の際は、前記圧縮機室部前板の右、または左側端部のいずれか一方の係止爪の凸部を相対する係合穴の下辺に係合させることで圧縮機室部前板を係止して作業が行えることから、余分なスペースを必要とせず、圧縮機室部前板の傷付きや変形もなくなる。
【００１５】
第２の発明は、特に第１の発明の係止爪の下方に伸びる凸部の内側の辺を下方に向かって凸部の先端が狭まるように傾斜させて形成したもので、凸部により係合穴に係止した圧縮機室部前板を取り外す際は、圧縮機室部前板を手前に引き抜くことで凸部の内側の辺の傾斜により案内されて凸部が係合穴から外れるため、圧縮機室部前板を上方へ持ち上げる必要がなく、作業性が向上する。
【００１６】
第３の発明は、特に第２の発明の係合穴の下辺を係止爪に形成した凸部の傾斜に合わせて同じ角度で傾斜させて形成したもので、凸部により係合穴に係止した圧縮機室部前板を取り外す際は、圧縮機室部前板を手前に引き抜くことで凸部の内側の辺の傾斜と係合穴の下辺の傾斜により案内されて凸部が係合穴から外れるため、圧縮機室部前板を手前に引き抜く際に大きな力を必要とせず、容易に圧縮機室部前板を取り外すことができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における空気調和機の室外ユニットの分解斜視図であり、外箱構成を示す。図２は、同室外ユニットの要部斜視図であり、圧縮機室部前板の取り付け部の構成を示す。図３は、同室外ユニットの要部斜視図であり、取り付け部の取り付け時を示す。図４は、同室外ユニットの斜視図であり、取り付け部の片側取り付け状態を示す。
【００１９】
図１〜４において、室外ユニット１の外箱１ａは、底部を形成するユニットベース２、天面部を覆う天板３、前面部を覆うとともに収納された送風機（図示せず）による風を吹き出す吹き出し口４を有する吹き出し口部前板５、圧縮機６ａを収納する圧縮機室６と制御基板（図示せず）を収納する電装部品室７とを覆う圧縮機室部前板８、右側面を覆う右
側板９とから構成されている。
【００２０】
圧縮機室部前板８は、前面に位置する前面部８ａと、右側部８ｂとで断面略Ｌ字状に形成され、前面部８ａ左側にはさらにＬ字状のフランジの左端部８ｃが形成されている。そして圧縮機室部前板８を右側板９の取り付ける取り付け部は、左端部８ｃと右側部８ｂの端部のそれぞれに、後方に突出した略Ｌ字状の係止爪１０が３個ずつ設けられ、吹き出し口部前板５および右側板９のそれぞれの鉛直端部の係止爪１０に対応する位置に角形状の係合穴１１が設けられている。さらに、これらの係止爪１０のうち両端部それぞれの一番上の上段係止爪１０ａ，１０ｂには、下端部に下方に向かって伸びる凸部１２が設けられている。
【００２１】
圧縮機室部前板８の室外ユニット１への取り付けは、圧縮機室部前板８の係止爪１０を吹き出し口部前板５と右側板９の係合穴１１に挿入する。その後圧縮機室部前板８を上方にスライドさせ、ネジ１３で圧縮機室部前板８の上端、下端を天板３及び、ユニットベース２にそれぞれ締結するが、例えばネジ１３及びドライバー等の工具を作業者が手に持つ際に、圧縮機室部前板８から手を離しても係止爪１０に形成した凸部１２が係合穴１１の下辺１１ａに係止され係止爪１０が係合穴１１より容易に外れることはなく、圧縮機室部前板８が落下することはない。
【００２２】
また、圧縮機室部前板８の取り外しの際は、締結されたネジ１３を取り外すことにより、ネジ１３を取り外した瞬間に圧縮機室部前板８は、自重により下方へ下がることになるが、凸部１２が係合穴１１の下辺１１ａに係止され圧縮機室部前板８が落下することはない。
【００２３】
さらに、現地での据付作業における配管・電気工事の際は、図４に示すように、圧縮機室部前板８の左側端部８ｃ，右側部８ｂの端部のどちらか一方の係止爪１０の凸部１２を相対する係合穴１１の下辺１１ａに係合させて圧縮機室部前板８を係止したまま開放して作業ができることから、余分な作業スペースを必要とせず、圧縮機室部前板８の傷付きや変形もなくなる。
【００２４】
以上のように、本実施の形態によれば、一人でも簡単に、しかも確実に圧縮機室部前板８の取り付け・取り外しができるものである。
【００２５】
（実施の形態２）
図５は、本発明の第２の実施の形態における空気調和機の室外ユニットの要部拡大図であり、圧縮機室部前板の係止爪の形状を示す。なお、上記実施の形態と同一部分については同一符号を付してその説明を省略する。
【００２６】
本実施の形態は、上段係止爪１０ｃに形成した凸部１２の内側の辺１２ａを下方に向かって凸部１２の先端が狭まるよう傾斜させて形成している。したがって、凸部１２により係合穴１１の下辺１１ａに係止された圧縮機室部前板８を取り外す際は、圧縮機室部前板８を引き抜くことで凸部１２の内側の辺１２ａの傾斜により案内されて凸部１２が係合穴１１から外れるため、圧縮機室部前板８を上方へ持ち上げる必要がなく、作業性が向上する。
【００２７】
（実施の形態３）
図６は、本発明の第３の実施の形態における空気調和機の室外ユニットの要部断面図であり、取り付け部を拡大したものを示す。なお、上記実施の形態と同一部分については同一符号を付してその説明を省略する。
【００２８】
本実施の形態は、係合穴１１の下辺１１ａを凸部１２の内側の辺の傾斜と同じ角度で傾斜させて形成している。したがって、凸部１２により係合穴１１の下辺１１ａに係止した圧縮機室部前板を取り外す際は、圧縮機室部前板８を手前に引き抜くことで凸部１２の内側の辺１２ａの傾斜と係合穴１１の下辺１１ａの傾斜により案内されて凸部１２が係合穴１１から外れるため、圧縮機室部前板８を手前に引き抜く際に大きな力を必要とせず、容易に圧縮機室部前板８を取り外すことができる。
【産業上の利用可能性】
【００２９】
以上のように、本発明に係る空気調和機の室外ユニットは、安価な構成で、見栄えを悪くすることもなく、一人で確実に、しかも簡単に圧縮機室部前板の取り付け・取り外しができるので、作業効率が非常に良く、設置時、サービス時に着脱を要する板金製の扉、蓋などを有する各種機器、装置にも適用できるものである。
【図面の簡単な説明】
【００３０】
【図１】本発明の実施の形態１における空気調和機の室外ユニットの分解斜視図
【図２】同室外ユニットの要部斜視図
【図３】同室外ユニットの要部斜視図
【図４】同室外ユニットの斜視図
【図５】本発明の実施の形態２における空気調和機の室外ユニットの要部拡大図
【図６】本発明の実施の形態３における空気調和機の室外ユニットの要部断面図
【図７】従来の空気調和機の室外ユニットの分解斜視図
【図８】（ａ）図７のＤ、Ｅ部の横断面図、（ｂ）同Ｄ、Ｅ部の正面図
【図９】従来の他の例を示す空気調和機の室外ユニットの斜視図
【符号の説明】
【００３１】
１  室外ユニット
１ａ  外箱
３  天板
４  吹き出し口
５  吹き出し口部前板
６  圧縮機室
８  圧縮機室部前板
８ａ  前面部
８ｂ  右側部
８ｃ  左端部
９  右側板
１０  係止爪
１０ａ，１０ｂ，１０ｃ  上段係止爪
１１  係合穴
１１ａ  下辺
１２  凸部
１２ａ  辺
【図１】
2007205624.tif 000003
【図２】
2007205624.tif 000004
【図３】
2007205624.tif 000005
【図４】
2007205624.tif 000006
【図５】
2007205624.tif 000007
【図６】
2007205624.tif 000008
【図７】
2007205624.tif 000009
【図８】
2007205624.tif 000010
【図９】
2007205624.tif 000011